(57)【特許請求の範囲】
【請求項１】
基地局から送信されるデータの送信形式を示す第一の信号を共有チャネルを介して受信し、前記第一の信号に応じて前記基地局から送信される前記データを含む第二の信号を受信し、前記第二の信号に応じて基地局へ第三の信号を送信する移動局において、
ハンドオーバする際、ハンドオーバ元の前記基地局へ前記第三の信号を送信するチャネルを介した送信処理を停止する前に、ハンドオーバ先の基地局からの前記第一の信号の受信処理を開始する制御部と、を有することを特徴とする移動局。
【請求項２】
前記第三の信号は、前記第二の信号の受信結果を示すことを特徴とする請求項１記載の
移動局。
【発明の詳細な説明】
【技術分野】
【０００１】
本発明は、無線通信システムにおける移動局に関する。
【背景技術】
【０００２】
無線を利用したデータ伝送方式１つとしてＨＳＤＰＡ（High Speed Downlink Packet A
ccess）の実用化が現在進められている（非特許文献１参照）。ＨＳＤＰＡは、下り方向
（Downlink）の高速パケット伝送を可能とする方式であり、最大約１４Ｍｂｐｓの伝送速
度が可能とされている。
【０００３】
ＨＳＤＰＡは、適応符号化変調方式（ＡＭＣ：Adaptive Modulation and Coding）を採
用しており、例えば、ＱＰＳＫ変調方式と１６値ＱＡＭ方式とを基地局、移動局間の無線
環境に応じて適応的に切り替えることを特徴としている。
【０００４】
また、ＨＳＤＰＡは、Ｈ−ＡＲＱ（Hybrid Automatic Repeat reQuest）方式を採用し
ている。Ｈ−ＡＲＱでは、移動局は基地局からの受信データについて誤りを検出した場合
に、当該基地局に対して再送要求を行う。この再送要求を受信した基地局は、データの再
送を行うので、移動局は、既に受信済みのデータと、再送された受信データとの双方を用
いて誤り訂正復号化を行う。このようにＨ−ＡＲＱでは、誤りがあっても、既に受信した
データを有効に利用することで、再送回数を抑えている。
【０００５】
ＨＳＤＰＡに用いられる主な無線チャネルは、ＨＳ−ＳＣＣＨ（High Speed-Shared Co
ntrol Channel）、ＨＳ−ＰＤＳＣＨ（High Speed-Physical Downlink Shared Channel）
、ＨＳ−ＤＰＣＣＨ（High Speed-Dedicated Physical Control Channel）がある。
【０００６】
ＨＳ−ＳＣＣＨ、ＨＳ−ＰＤＳＣＨは、双方とも下り方向（Downlink）（即ち、基地局
から移動局への方向）の共有チャネルであり、ＨＳ−ＳＣＣＨは、ＨＳ−ＰＤＳＣＨにて
送信するデータに関する各種パラメータを送信する制御チャネルである。各種パラメータ
としては、例えば、どの変調方式を用いるかを示す変調タイプ（Modulation Scheme）情
報、割当てる拡散符号（spreading code）の数（コード数）、送信前に施されるレートマ
ッチング処理のパターン等の情報が挙げられる。
【０００７】
一方、ＨＳ−ＤＰＣＣＨは、上り方向（Uplink）（即ち、移動局から基地局への方向）
の個別の制御チャネルである。例えば、ＨＳ−ＰＤＳＣＨを介して基地局から受信したデ
ータの受信可、否の結果をそれぞれ応答信号（ＡＣＫ信号、ＮＡＣＫ信号）として基地局
に対して送信する際に移動局によって用いられる。尚、移動局がデータの受信に失敗した
場合（受信データがＣＲＣエラーである場合等）は、再送要求としてのＮＡＣＫ信号が移
動局から送信されるので、基地局は再送制御を実行することとなる。また、無線基地局は
、ＡＣＫ信号もＮＡＣＫ信号も受信できない場合（ＤＴＸの場合）は、やはり再送制御を
行うため、移動局がＡＣＫ信号もＮＡＣＫ信号も送信しないＤＴＸ状態となることも再送
要求の１つとして挙げられる。
【０００８】
その他、ＨＳ−ＤＰＣＣＨは、移動局が測定した基地局からの受信信号の受信品質情報
（例えばＳＩＲ）をＣＱＩ情報（Channel Quality Indicator）として基地局に送信する
ためにも用いられる。基地局は、受信したＣＱＩ情報により下り方向の送信形式を変更す
る。即ち、ＣＱＩ情報が下り方向の無線環境が良好であることを示す場合は、より高速に
データを送信可能な変調方式に送信形式を切りかえ、逆にＣＱＩ情報が下り方向の無線環
境が良好でないことを示す場合は、より低速にデータを送信する変調方式に送信形式を切
り替える（即ち、適応変調を行う）。
・「チャネル構造」
次に、ＨＳＤＰＡにおけるチャネル構成について説明する。
図１は、ＨＳＤＰＡにおけるチャネル構成を示すための図である。尚、Ｗ−ＣＤＭＡは、
符号分割多重方式を採用するため、各チャネルは符号により分離されている。
【０００９】
まず、説明していないチャネルについて簡単に説明しておく。
ＣＰＩＣＨ（Common Pilot Channel）は、下り方向の共通チャネルであり、無線ゾーン（
セル）内の全ての移動局に対して送信される。
【００１０】
ＣＰＩＣＨは、移動局においてチャネル推定、セルサーチ、同一セル内における他の下
り物理チャネルのタイミング基準として利用されるチャネルであり、いわゆるパイロット
信号を送信するためのチャネルである。
【００１１】
次に、図１を用いて、チャネルのタイミング関係について説明する。
図のように、各チャネルは、３×５＝１５個のスロット（各スロットは、２５６０チップ
長相当）により１フレーム（１０ｍｓ）を構成している。先に説明したように、ＣＰＩＣ
Ｈは他のチャネルの基準として用いられるため、Ｐ−ＣＣＰＣＨ及びＨＳ−ＳＣＣＨのフ
レームの先頭はＣＰＩＣＨのフレームの先頭と一致している。ここで、ＨＳ−ＰＤＳＣＨ
のフレームの先頭は、ＨＳ−ＳＣＣＨ等に対して２スロット遅延しているが、移動局がＨ
Ｓ−ＳＣＣＨを介して変調タイプ情報を受信してから、受信した変調タイプに対応する復
調方式でＨＳ−ＰＤＳＣＨの復調を行うことを可能にするためである。また、ＨＳ−ＳＣ
ＣＨ、ＨＳ−ＰＤＳＣＨは、３スロットで１サブフレームを構成している。
【００１２】
ＨＳ−ＤＰＣＣＨは、上り方向のチャネルであり、ＨＳ−ＰＤＳＣＨの受信から約７．
５スロット経過後に、受信確認のための応答信号であるＡＣＫ／ＮＡＣＫ信号を移動局か
ら基地局に送信するための用いるスロット（１スロット長）を含む。
【００１３】
また、ＨＳ−ＤＰＣＣＨは、適応変調制御のためのＣＱＩ情報を定期的に基地局にフィ
ードバック送信するためにも用いられる。ここで、送信するＣＱＩ情報は、例えば、ＣＱ
Ｉ送信の４スロット前から１スロット前までの期間に測定した受信環境（例えば、ＣＰＩ
ＣＨのＳＩＲ測定結果）に基づいて算出される。
【先行技術文献】
【非特許文献】
【００１４】
上述した、ＨＳＤＰＡに関する事項は、例えば次の非特許文献１に開示されている。
【非特許文献１】３Ｇ  ＴＳ  ２５．２１２（3rd Generation Partnership Project: TechnicalSpecification Group Radio Access Network ; Multiplexing and channel coding (FDD)）V6.2.0 (2004年６月)
【発明の開示】
【発明が解決しようとする課題】
【００１５】
先に説明した背景技術によれば、無線基地局は、ＣＰＩＣＨを共通チャネルで送信し、
移動局は、測定区間（Ａ１の部分）で測定したＣＰＩＣＨの受信品質（ＣＰＩＣＨの受信
ＳＩＲ）を適応変調制御のためのパラメータ（ＣＱＩ）として送信する（Ａ２の部分）。
そして、無線基地局は、そのパラメータに基づいて送信するデータの送信予告を送信（Ａ
３の部分）し、その後、適応変調制御されたのデータを送信（Ａ４の部分）し、移動局は
、このデータの受信結果（ＡＣＫ信号又はＮＡＣＫ信号）を送信（Ａ５の部分）する。
【００１６】
この一連の手順により、適応変調制御に影響を与える信号の送信から、適応変調制御に
よりデータが送信され、更には、送信データの受信結果の送信が行われるため、適応変調
制御に基づくデータ送信が着実に実行されることとなる。
【００１７】
しかし、Ａ１の送信からＡ３（Ａ４）又はＡ５の送信が行われるまで（データ送信の１
サイクル）に要する時間が非常に長いという問題がある。
【００１８】
ここで、この問題について図２を用いて説明する。
【００１９】
図２は、この問題が顕著となるハンドオーバ時の動作について説明するための図である
。
【００２０】
尚、移動局は、無線ゾーン１（セル１）から無線ゾーン（セル２）に向けて移動し、移
動にともなって、無線ゾーンを１から２に切り替える処理を行うものとする。
【００２１】
図のように、サブフレーム６とサブフレーム７との間でちょうどハンドオーバ処理を行
ったことを想定すると、図中点線枠としたデータ部分についてデータ送信の１サイクルが
完結せず、データ伝送に支障を来たしていることがわかる。
【００２２】
何故なら、セル１で送信されるＨＳ−ＳＣＣＨの第３〜５サブフレーム（また対応する
ＨＳ−ＰＤＳＣＨのサブフレーム）についての受信結果を示すＡＣＫ信号の送信は、セル
２に対して送信されるため、セル１では、受信確認ができない。
【００２３】
また、セル２で送信されるＨＳ−ＳＣＣＨの第７〜１０サブフレーム（また対応するＨ
Ｓ−ＰＤＳＣＨのサブフレーム）は、セル１で送信されたＣＰＩＣＨについてのＣＱＩに
基づく適応変調制御に関連するものとなっており、受信環境に応じた適応変調制御となっ
ていない。
【００２４】
更に、ＨＳ−ＳＣＣＨの第６サブフレーム（また対応するＨＳ−ＰＤＳＣＨのサブフレ
ーム）は、対応するＨＳ−ＰＤＳＣＨのサブフレームの途中で移動局がＨＳ−ＰＤＳＣＨ
の受信用の送信元セルを１から２に切り替えてしまい、エラーとなり、結果的にこの第６
サブフレームによる送信予告が無駄になっている。
【００２５】
そして、データ送信の１サイクルに着目すると、そのサイクル内に、問題のあるデータ
が含まれる場合は、対応するＨＳ−ＳＣＣＨ、ＨＳ−ＰＤＳＣＨ、ＣＱＩ、ＡＣＫ信号に
ついても同様に支障をきたしているということができる。
【００２６】
以上のように、データ送信の１サイクルが長いため、ハンドオーバの前後において広範
囲に問題を有するデータ部分を含んでしまっている。
【００２７】
従って、本発明の目的の１つは、ハンドオーバを考慮したデータ伝送を実現することで
ある。
【００２８】
また、本発明の目的の１つは、ハンドオーバの際に適応変調制御の手順を維持するよう
にすることである。
【００２９】
尚、上記目的に限らず、後述する発明を実施するための最良の形態に示す各構成により
導かれる効果であって、従来の技術によっては得られない効果を奏することも本発明の目
的の１つとして位置付けることができる。
【課題を解決するための手段】
【００３０】
本発明では、基地局から送信されるデータの送信形式を示す第一の信号を受信し、前記第一の信号に応じて前記基地局から送信される前記データを含む第二の信号を受信し、前記第二の信号に応じて基地局へ第三の信号を送信する移動局において、ハンドオーバする際、ハンドオーバ元の前記基地局へ前記第三の信号を送信するチャネルを介した送信処理を停止する前に、ハンドオーバ先の基地局からの前記第一の信号の受信処理を開始する制御部と、を有することを特徴とする移動局を用いる。
【発明の効果】
【００３１】
本発明によれば、ハンドオーバを考慮した無線通信システム、無線基地局、移動局を提
供することができる。
【００３２】
また、ハンドオーバに際して支障をきたすデータ部分を少なく抑えることができる。
【００３３】
また、ハンド−バに際して適応変調制御の手順が維持されやすくなる。
【図面の簡単な説明】
【００３４】
【図１】ＨＳＤＰＡにおけるチャネル構成を示すための図である。
【図２】ハンドオーバ時の動作を説明するための図である。
【図３】本発明に係る移動通信システムを示す図である。
【図４】本発明に係る無線基地局制御装置を示す図である。
【図５】本発明に係る無線基地局（その１）を示す図である。
【図６】本発明に係る無線基地局（その２）を示す図である。
【図７】本発明に係る移動局を示す図である。
【図８】本発明に係るハンドオーバ時の動作を説明するための図である。
【図９】本発明に係るハンドオーバ時の動作（フレームずれ有り）を説明するための図である。
【発明を実施するための最良の形態】
【００３５】
以下、図面を参照することにより、本発明の実施の形態について説明する。
【００３６】
〔ａ〕第１実施形態の説明
この実施形態では、ハンドオーバを行う際に切り替えるチャネルの順を工夫することと
する。
【００３７】
即ち、無線基地局から送信される第１のデータ（例えば、第１のチャネルを介して送信
されるＣＰＩＣＨ）の受信に応じて、移動局が送信する第２のデータ（例えば、第２のチ
ャネルを介して送信されるＣＱＩ情報）に応じて、無線基地局から送信される第３のデー
タ（例えば、第３のチャネルを介して送信されるＨＳ−ＳＣＣＨ）を第２の無線通信装置
が受信する場合に、ハンドオーバの際に、第３のデータについての受信チャネルの切り替
えに対して、第１のデータについての受信チャネルの切り替えを先に行うようにするので
ある。
【００３８】
これにより、第３のデータについての受信チャネルの切り替え後に、なるべく早く第１
のデータを反映させることができることとなる。
【００３９】
以下、先に説明したＨＳＤＰＡを例に挙げてこの工夫について、図面を用いて具体的に
説明する。
【００４０】
もちろん、ＨＳＤＰＡに限らずハンドオーバ処理を行う他の無線通信システムに適用す
ることができる。その際、ＨＳＤＰＡと同様に、適応変調制御（更には、再送制御等）を
行うシステムに適用することが最も好ましい。
・「移動通信システムの構成」
図３は、本発明に係る移動通信システムの構成の１例を示す。移動通信システムとして
は、種々のものが考えられるが、ここでは、背景技術の説明と同様、Ｗ−ＣＤＭＡ（ＵＭ
ＴＳ）をベースとした、ＨＳＤＰＡに対応した移動通信システムであるものとする。
【００４１】
図において、１はコアネットワーク、２、３は無線基地局制御装置（ＲＮＣ：Radio Ne
twork Controller）、４、５は多重分離装置、６１〜６５は無線基地局（ＢＳ：Base Sta
tion）、７は移動局（ＵＥ：User equipment）をそれぞれ示す。
【００４２】
コアネットワーク１は、移動通信システム内においてルーティングを行うためのネット
ワークであり、例えば、ＡＴＭ交換網、パケット交換網、ルーター網等によりコアネット
ワークを構成することができる。
【００４３】
尚、コアネットワーク１は、無線基地局６１〜６５の上位装置として位置付けられ、他
の公衆網（ＰＳＴＮ）等とも接続され、移動局７が固定電話等との間で通信を行うことも
可能としている。
【００４４】
無線基地局制御装置２、３は、コアネットワークの構成装置と同様に、無線基地局６１
〜６５の上位装置として位置付けられ、これらの無線基地局６１〜６５の制御（使用する
無線リソースの管理等）を行う機能を備えている。また、移動局７との間の通信をハンド
オーバ元の無線基地局との間の通信からハンドオーバ先の無線基地局との間の通信に切り
替えるハンドオーバ処理に係わる制御を行う機能（後述するハンドオーバ処理機能部１３
が有する機能）も備えている。
【００４５】
ここで、サービングＲＮＣ（Ｓ−ＲＮＣ）、ドリフトＲＮＣ（Ｄ−ＲＮＣ）の概念につ
いて説明する。
【００４６】
移動局７が発信、着信した際に、最初にその処理を担当した無線基地局制御装置はサー
ビングＲＮＣ（図１では、ＲＮＣ２とする）と称される。
【００４７】
その後、移動局７が通信を継続しながら、右方向に移動すると、サービングＲＮＣ２の
配下の無線基地局６３が形成する無線エリア（セル）からＲＮＣ３の配下の無線線基地局
６４が形成する無線エリア（セル）に移ることとなる。
【００４８】
その際、移動局７と無線通信を行う無線基地局６の切り替えを行う必要があるため、い
わゆるハンドオーバ処理（ハードハンドオーバ処理）が実行される。
【００４９】
即ち、移動局７は、無線基地局６３宛てに送信していたデータを無線基地局６４宛てに
送信するように切り替える。また、無線基地局６３から受信していた受信状態を無線基地
局６４から受信する受信状態に切り替える（データの受信チャネルをハンドオーバ先に切
り替える）のである。
【００５０】
無線基地局側も同様に、無線基地局６３から移動局７へのデータ送信状態を無線基地局
６４から移動局７へのデータ送信状態に切り替えるとともに、移動局７からデータを受信
するチャネルを無線基地局６３についてのものから無線基地局６４についてのものに切り
替えるのである。
【００５１】
一方、移動局７についてのデータの遣り取りをコアネットワーク側と行う際には、窓口
となるＲＮＣは、１つのＲＮＣ（サービングＲＮＣ）とされる。
【００５２】
従って、ハンドオーバ先の無線基地局６４を管理するＲＮＣ３は、移動局７からの受信
信号をサービングＲＮＣ２へ転送する（コアネットワーク１を介して転送してもよいし、
ＲＮＣ２、３間で直接の接続回線が設けられている場合は、コアネットワーク１を介さず
、この直接の接続回線を介して転送する）。
【００５３】
そして、移動局７にとって、サービングＲＮＣとして機能するＲＮＣ２は、ハンドオー
バ処理の前は、配下の無線基地局を介して移動局７から受信したデータ、ハンドオーバ処
理後は、ＲＮＣ３から転送された移動局７からの受信データをコアネットワーク１側に引
き渡すのである。
【００５４】
尚、ＲＮＣ３は、サービングＲＮＣに対して、ドリフトＲＮＣと称される。
【００５５】
もちろん、下り方向（コアネットワーク１側から移動局７方向）に信号を送信する場合
も同様であり、まず、コアネットワーク１からサービングＲＮＣ２に信号が送信され、ハ
ンドオーバ処理前であれば、サービングＲＮＣ２は配下の無線基地局を介して移動局７で
データを送信し、ハンドオーバ処理後であれば、サービングＲＮＣ２は、ドリフトＲＮＣ
３にデータを転送し、ドリフトＲＮＣ３配下の無線基地局６を介して移動局７にデータを
送信するのである。
【００５６】
尚、ＲＮＣ２、３の機能を無線基地局６、コアネットワーク１側に割り振ることで各Ｒ
ＮＣを省略することもできる。例えば、ハンドオーバ処理機能部をコアネットワーク１側
に設け、無線チャネルの割当て制御機能等を無線基地局６に与えるのである。
【００５７】
以上説明した例は、異なるＲＮＣの配下の無線基地局間のハンドオーバであるが、同じ
ＲＮＣの配下の無線基地局間（例えば、６１〜６３間）でも実行される。
【００５８】
尚、この場合は、ＲＮＣは、サービングＲＮＣである場合は、他のＲＮＣへ転送するこ
となく配下の無線基地局で受信した移動局７からのデータをコアネットワーク１へ送信し
、逆に、コアネットワーク１から受信したデータは、他のＲＮＣへ転送することなく、配
下の無線基地局から移動局７へ送信することができる。
【００５９】
また、１つの無線基地局内であっても、例えば、複数のアンテナを用いて複数の無線エ
リア（セクタ（セル））を形成している場合は、セクタ（セル）間でハンドオーバ処理を
行うこともできる。
【００６０】
さて、多重分離装置４、５は、ＲＮＣと無線基地局装置との間に設けられ、ＲＮＣ２、
３から受信した各無線基地局宛ての信号を分離し、各無線基地局宛てに出力するとともに
、各無線基地局からの信号を多重して対応するＲＮＣに引き渡す制御を行う。
【００６１】
もちろん、無線基地局制御装置と複数の無線基地局を直接接続することで、この多重分
離装置も省略することができる。
【００６２】
無線基地局６１〜６３はＲＮＣ２、無線基地局６４、６５はＲＮＣ３により無線リソー
スを管理されつつ、移動局７との間の無線通信を行う。
【００６３】
移動局７は、無線基地局６の無線エリア（セル）内に在圏することで、無線基地局６と
の間で無線回線を確立し、コアネットワーク１を介して他の通信装置との間で通信を行う
ことができ、また、移動した場合であっても、ハンドオーバ処理により通信相手の無線基
地局を切り替えることで他の通信装置との間の通信を継続することができる。
【００６４】
以上が図３に示した第１実施形態における移動通信システムの動作の概要であるが、以
下、各ノードの構成及び動作を詳細に説明する。
・「無線基地局制御装置２（３）」
図４は、無線基地局制御装置（ＲＮＣ：Radio Network Controller）を示す図である。
【００６５】
図において、１０は多重分離装置との通信用の第１インタフェース部、１１は各部の動
作を制御する制御部、１２はコアネットワーク側との通信用の第２インタフェース部をそ
れぞれ示す。
【００６６】
好ましくは、第１、２インタフェース部として、ＡＴＭ方式に従った伝送を行うインタ
フェース部を採用することができる。もちろん、他の方式に従った伝送を行うこともでき
る。
【００６７】
制御部１１は、各部の動作の制御を行うとともに、先に説明したハンドオーバ処理に関
する処理（転送処理、無線チャネル割当て等）を行うハンドオーバ処理機能部１３、３Ｇ
ＰＰ移動通信システムに規定されるＲＬＣ（ＲＬＣ：Radio Link Control）レイヤのよう
な上位レイヤの処理機部１４も含む。
【００６８】
次に、コアネットワーク１１側からの信号を多重分離装置４（５）側へ送信する際の動
作について説明する。
【００６９】
制御部１１は、コアネットワーク１側から受信した信号を、第２インタフェース部１２
で終端処理して得られたデータ（例えば、可変長のパケットデータとする）を所定長毎に
分割し、例えば、ＲＬＣ  ＰＤＵ（Packet Data Unit））を複数生成する。
【００７０】
尚、制御部１１は、各ＰＤＵに対して連番を付すべく、分割した各ＲＬＣ  ＰＤＵのシ
ーケンスナンバ領域にその連番を書き込む。このシーケンスナンバは、移動局７で、ＰＤ
Ｕの順番抜けを発見するために用いられ、順番抜けが発生した場合は、ＲＬＣレイヤにお
ける再送制御を行うために、移動局から正しく受信できなかったＰＤＵシーケンスナンバ
が送信され、このシーケンスナンバを受信した制御部１１（上位レイヤ処理機能部１４）
は、送信したＲＬＣ  ＰＤＵを移動局７へ向けて再送信する（送信したＲＬＣ  ＰＤＵは
メモリ等に控えとして記憶しておく）。
【００７１】
さて、ＲＬＣ  ＰＤＵを生成した制御部２２は、ＲＬＣ  ＰＤＵを複数まとめて、ＨＳ
−ＰＤＳＣＨ  ＦＰ（フレームプロトコル）に従ったフォーマットの信号を生成して、第
１インタフェース部２０に与え、例えば、ＡＴＭセル化してから多重分離装置４（５）側
へ送出する。
・「無線基地局６１〜６５」
図５は、無線基地局６（ＢＳ：Base Station）を示す図である。
【００７２】
図において、１５は多重分離装置４（５）から自装置宛ての信号として分離送信された
信号の終端処理をする第１インタフェース部を示し、１６は移動局７との間で無線信号の
送受信を行なうための無線送受信部を示す。
【００７３】
１７は移動局７との間で実行される先に説明したＨ−ＡＲＱによる再送制御を行うため
に再送用の送信データを格納しておいたり、共用チャネルであるＨＳ−ＰＤＳＣＨで送信
するデータであって、送信順番待ちのデータを格納しておくための記憶部を示す。
【００７４】
１８は各部の制御を行うとともに、下り信号生成部１９、上り信号処理部２０、再送管
理部２１、適応変調管理部２２、取得部２３、転送処理部２４を含む制御部を示す。
【００７５】
ここで、下り信号生成部１９は、下り信号（ＣＰＩＣＨ、ＨＳ−ＳＣＣＨ、ＨＳ−ＰＤ
ＳＣＨ等のデータ）として送信するデータを生成し、上り信号処理部２０は、上り信号（
ＨＳ−ＤＰＣＣＨ）等からＣＱＩ情報、ＡＣＫ信号、ＮＡＣＫ信号等を抽出する。
【００７６】
また、再送管理部２１は、Ｈ−ＡＲＱに関連する再送制御を管理し、取得部２３は、後
述するが、他の無線基地局から転送された、移動局７が送信したＣＱＩ情報を取得し、逆
に、転送処理部２４は、他の無線基地局に、移動局７から受信したＣＱＩ情報を転送する
機能を有するものである。
【００７７】
次に、多重分離装置４（５）から受信したデータの処理動作について説明する。
【００７８】
まず、第１インタフェース部１５を介して受信したＨＳ−ＰＤＳＣＨのフレームが、制
御部１８に入力される。
【００７９】
制御部１８は、受信したＨＳ−ＰＤＳＣＨのフレームに含まれるある移動局宛てのＭＡ
Ｃ−ｄ  ＰＤＵを記憶部１７に記憶させておく。
【００８０】
そして、共有チャネルであるＨＳ−ＰＤＳＣＨを介してその移動局宛てにデータの送信
が可能となったことを検出すると、記憶部１７からその移動局宛てのＭＡＣ−ｄ  ＰＤＵ
を順に複数取り出し、ＭＡＣ−ｄ  ＰＤＵを複数含むＭＡＣ−ｈｓ  ＰＤＵを生成する。
尚、取り出すＭＡＣ−ｄ  ＰＤＵの数は、ＣＱＩ情報等により定まるトランスポートブロ
ックサイズ内に収まるように選択される。
【００８１】
ＭＡＣ−ｈｓ  ＰＤＵは、１つのトランスポートブロックを形成し、移動局７に向けて
、ＨＳ−ＰＤＳＣＨを介して送信されるデータの元となる。
【００８２】
尚、ＭＡＣ−ｈｓ  ＰＤＵは、各ＭＡＣ−ｈｓ  ＰＤＵに付されるシーケンスナンバー
であるＴＳＮ（Transmission Sequence Number）を含み、複数のプロセスに分けて移動局
７宛てにＨＳ−ＰＤＳＣＨの送信を行っても、このシーケンスナンバーに従って、トラン
スポートブロックの並び替えが可能となるようにしている。
【００８３】
さて、制御部１８において生成されたＭＡＣ−ｈｓ  ＰＤＵは、Ｈ−ＡＲＱによる再送
制御を実行するために、記憶部１７へ格納されるとともに、下り信号生成部１９に入力さ
れ誤り訂正符号化、誤り検出符号化等の処理が施されて、ＨＳ−ＰＤＳＣＨの１サブフレ
ームを形成し、他の信号とともに無線送受信部１６に与えられることで、ＨＳ−ＰＤＳＣ
Ｈを介して移動局７宛てに送信される。
【００８４】
但し、先に説明したように、ＨＳ−ＰＤＳＣＨの送信の前には、ＨＳ−ＳＣＣＨを介し
て移動局７に向けた送信予告が行われる。
【００８５】
即ち、制御部１８はＨＳ−ＰＤＳＣＨの送信の前に、ＨＳ−ＳＣＣＨを介して送信する
データを下り信号生成部１９へ与え、下り信号生成部１９は、与えられたデータに基づい
てＨＳ−ＳＣＣＨの１サブフレームを生成して無線送受信部１６へ与える。
【００８６】
ＨＳ−ＳＣＣＨにより送信の予告を受け、ＨＳ−ＰＤＳＣＨを受信した移動局７は、Ｈ
Ｓ−ＤＰＣＣＨを介してＨＳ−ＰＤＳＣＨの受信結果（ＡＣＫ信号又はＮＡＣＫ信号）を
送信する。
【００８７】
無線基地局６の上り信号処理部２０は、移動局７からの上り信号（ＨＳ−ＤＰＣＣＨ等
）の受信処理を行い、受信結果がＮＡＣＫ信号であることを検出すると、再送管理部２１
に通知する。
【００８８】
従って、再送管理部２１は、記憶部１７から送信に失敗したＭＡＣ−ｈｓ  ＰＤＵを読
み出し、再び、下り信号処理部１９に与えて、無線送受信部１６に再送信を実行させる。
【００８９】
一方、上り信号処理部２０により、ＨＳ−ＰＤＳＣＨの受信結果がＡＣＫ信号であるこ
とが検出された場合は、再送制御は不要であるから、制御部１８は、次の新規トランスポ
ートブロックを送信すべく、記憶部１７に記憶している、未送信（送信順番待ち）のＭＡ
Ｃ−ｄ  ＰＤＵを読み出し、新たなＭＡＣ−ｈｓ  ＰＤＵを生成して下り信号生成部１９
に与えることで、無線送受信部１６に送信させる制御を行う。
【００９０】
以上が無線基地局におけるＨ−ＡＲＱ（再送制御）に関する動作であるが、先に説明し
たように、ＨＳＤＰＡでは、無線基地局６において、適応変調制御を実行するため、移動
局７から定期的にＣＱＩ情報を受信する。
【００９１】
ＣＱＩ情報は、上り信号処理部２０により受信されるため、上り信号処理部２０は、こ
れのＣＱＩ情報を適応変調管理部２２に与える。
【００９２】
尚、ＣＱＩ情報は、無線基地局６から送信され、移動局７で受信される下り信号（例え
ばＣＰＩＣＨ）の受信品質（例えば受信ＳＩＲ）に対応したものである。
【００９３】
例えば、ＣＱＩ情報を１〜３０の計３０種類用意しておき、移動局７は、受信品質に対
応するＣＱＩ情報を選択して送信し、適応変調管理部２２は、移動局７から受信したＣＱ
Ｉ情報に対応する送信形式を無線送受信部１６、下り信号生成部１９に指定し、その形式
に従った適応変変調制御を実行させる。
【００９４】
送信形式としては、１サブフレーム内で送信するビット数を示すＴＢＳ（Transport Bl
ock Size）ビット数、送信の際に利用する拡散コードの数を示す、コード数、ＱＰＳＫ、
ＱＡＭ等の変調方式を示す変調タイプが挙げられる。
【００９５】
従って、ＣＰＩＣＨのＳＩＲが良好な（ＳＩＲが大きい）ほど、ＣＱＩも大きい値とな
るようにし、ＣＱＩが大きくなるほど、対応するＴＢＳビット数、拡散コード数も多くな
るように定義しておくことで、下り信号の受信品質が良好なほど、伝送速度が速くなる方
向に制御される（逆に受信品質が劣悪なほど伝送速度が遅くなる方向に制御される）。
【００９６】
尚、これらの送信形式は移動局７にも通知する必要があるため、適応変調管理部２２は
、先に説明したように、適応変調制御により送信を行うＨＳ−ＰＤＳＣＨの送信の前に予
告として送信するＨＳ−ＳＣＣＨ用のデータとして、下り信号生成部１９に送信形式情報
を与え、無線送受信部１６を介して送信形式情報を移動局７に送信するのである。
【００９７】
以上が、無線基地局６の基本的な構成と動作であるが、先に説明したように、１つの無
線基地局６が複数の無線エリア（セル）を形成する場合もある。
【００９８】
図６は、１つの無線基地局が複数の無線エリアを形成する場合の構成を示したものであ
る。
【００９９】
各構成は，基本的には図５と同様であるが、無線送受信処理部１６や、制御部１８が各
無線エリア（セル）対応に複数（この場合は３つ）設けられており、第１インタフェース
部１５から受信したデータは、対応する制御部１８１〜１８３に振り分けられ、制御部１
８１〜１８３は担当無線エリアについて、それぞれ別個に先に説明した制御部１８相当の
処理（適応変調制御、再送制御等）を実行するのである。
【０１００】
尚、記憶部１７は、各制御部で共通に用いることもできる。
・「移動局７」
次に、移動局の構成及び動作について説明する。
【０１０１】
図７に移動局７の構成を示す。図において、３０は無線基地局６の無線送受信部１６と
の間で無線通信を行うための無線送受信部を示し、３１は音声、データ等の入力及び受信
音声、データの出力を行う入出力部を示す。
【０１０２】
３２は各種必要とされるデータを記憶する記憶部を示し、Ｈ−ＡＲＱを実現すべく、受
信エラーとなったデータを一時的に格納するためにも用いられる。
【０１０３】
３３は各部の制御を行う制御部を示し、ＣＰＩＣＨ処理部３４、ＨＳ−ＳＣＣＨ処理部
３５、ＨＳ−ＰＤＳＣＨ処理部３６、ＨＳ−ＤＰＣＣＨ処理部３７、上位レイヤ処理部３
８、ハンドオーバ処理機能部３９を備える。
【０１０４】
ＣＰＩＣＨ処理部３４は、無線基地局６から連続的に送信されるＣＰＩＣＨの受信処理
を測定区間等で行い、受信品質（受信ＳＩＲ）の測定結果をＨＳ−ＤＰＣＣＨ処理部３７
に与える。また、ＣＰＩＣＨの受信処理により得られたパイロット信号のＩＱ平面上の位
相情報をＨＳ−ＳＣＣＨ処理部３５、ＨＳ−ＰＤＳＣＨ処理部３６等に与えて同期検波（
チャネル補償）を可能としている。
尚、移動局７は、ＨＳＤＰＡのサービスを受けている間は、ＨＳ−ＤＰＣＣＨを介して、
適応変調制御のためのＣＱＩ情報を定期的に基地局にフィードバック送信する。ここで、
送信するＣＱＩ情報は、例えば、ＣＱＩ送信の３スロット前から１スロット前までの期間
で測定した結果に対応するＣＱＩ情報とする。
【０１０５】
尚、受信品質（受信ＳＩＲ）とＣＱＩ情報との対応関係は記憶部３２に記憶しておき、
受信品質に対応するＣＱＩ情報を選択することで送信するＣＱＩ情報を決定することがで
きる。
【０１０６】
ＨＳ−ＳＣＣＨ処理部３５は、無線基地局６から送信されるＨＳ−ＳＣＣＨの受信処理
を毎サブフレームについて行い、自局宛てにＨＳ−ＰＤＳＣＨを介したデータの送信が行
われることの送信予告がされているかどうかをチェックする。
【０１０７】
即ち、ＨＳ−ＳＣＣＨの第１パートを受信し、自局固有のコードを乗算してから復号し
た結果（例えば尤度情報）に基づいて自局宛てに送信されたかどうかを検出するのである
。
【０１０８】
ここで、自局宛に送信されたことを検出すると、残りの第２パートの受信処理を完了さ
せ、第１、第２パートの全体に対して付加された誤り検出ビットに基づいて受信エラー検
出を行う。尚、ＨＳ−ＳＣＣＨ処理部３５がエラーを検出した場合は、予告の検出は誤り
であったとして、以下のＨＳ−ＰＤＳＣＨ処理部３６における処理を中断することもでき
る。
【０１０９】
さて、自局宛ての送信予告があることを検出したＨＳ−ＳＣＣＨ処理部３５は、２スロ
ット後のＨＳ−ＰＤＳＣＨの１サブフレームを受信するように、ＨＳ−ＰＤＳＣＨ処理部
３６に通知する。
【０１１０】
その際、無線基地局６からＨＳ−ＳＣＣＨのパート１で通知されたコード情報、変調タ
イプ情報も通知する。
【０１１１】
これにより、ＨＳーＰＤＳＣＨ処理部３６は、ＨＳ−ＰＤＳＣＨの受信処理を開始する
ことができ、残りの第２パートに含まれる他の受信処理に必要な情報を、その後ＨＳ−Ｓ
ＣＣＨ処理部３５から取得することで、ＨＳ−ＰＤＳＣＨの受信処理（デレートマッチン
グ、誤り訂正復号等）を完了し、復号結果のエラー検出を行うのである。
【０１１２】
さて、ＨＳ−ＰＤＳＣＨ処理部３６は、ＨＳ−ＰＤＳＣＨについての復号結果にＣＲＣ
エラーの有無をＨＳ−ＤＰＣＣＨ処理部３７に通知する。また、復号して得られたＭＡＣ
−ｈｓ  ＰＤＵに含まれるＴＳＮに基づいて並び替え処理（リオーダリング）を行い、上
位レイヤ処理機能部３８へリオーダリング後のデータを引き渡す。
【０１１３】
上位レイヤ処理機能部３８は、ＭＡＣ−ｄ  ＰＤＵに含まれるシーケンスナンバに順番
抜けがあるかどうか判定し、順番抜けを検出し、無線基地局制御装置２（３）に対して別
途設けた個別チャネルを介して通知し、ＲＬＣレイヤにおける再送制御を実行するのであ
る。
【０１１４】
尚、順番とおりに取得した受信データは順次入出力部３１から対応する出力形式で出力
（音声出力、画像出力等）されることとなる。
【０１１５】
ＨＳ−ＤＰＣＣＨ処理部３７は、ＣＰＩＣＨ処理部３４から与えられた受信品質に対応
するパラメータ（無線基地局６における適応変調制御に用いられるパラメータＣＱＩ）を
記憶部３２に記憶した対応関係（ＣＱＩテーブル）に基づいて選択し、ＨＳ−ＤＰＣＣＨ
を介して無線基地局６に向けて送信する。また、ＨＳ−ＰＤＳＣＨ処理部３６からのエラ
ー有無通知に応じて、ＨＳ−ＤＰＣＣＨ処理部３７は、ＨＳ−ＤＰＣＣＨを介して受信結
果信号（ＡＣＫ信号、ＮＡＣＫ信号）を送信する。
【０１１６】
即ち、ＨＳ−ＤＰＣＣＨ処理部３７は、エラー無しであればＡＣＫ信号を、エラー有り
であればＮＡＣＫ信号を無線送受信部３０に与えて送信させる。
【０１１７】
ハンドオーバ処理機能部３９は、ハンドオーバの際における各部の動作制御を行う。動
作制御の詳細については、後述する。
【０１１８】
従って、移動局７においては、ＨＳ−ＳＣＣＨを毎サブフレームチェックし、自局宛て
にＨＳ−ＰＤＳＣＨを介したデータの送信が行われることを通知されると、２スロット後
のＨＳ−ＰＤＳＣＨの１サブフレームを受信し、復調、復号（ターボ復号）することで、
復号結果を得、ＣＲＣビットを用いたＣＲＣ演算により受信可否を判定し、否であれば、
受信データを記憶部３２に記憶させるとともに、ＮＡＣＫ信号をＨＳ−ＤＰＣＣＨを介し
て無線基地局６に送信する。
【０１１９】
そして、無線基地局６により再送信が実行されると、記憶部３２に記憶済みのデータと
再送信されたデータとを合成してから、復号（ターボ復号）を行い、復号後のデータにつ
いて、再びＣＲＣチェックを行う。
【０１２０】
ＣＲＣチェックにより、可と判定されると、ＨＳ−ＤＰＣＣＨ処理部３７は、ＨＳ−Ｄ
ＰＣＣＨを介してＡＣＫ信号を無線基地局６に送信させる制御を行なう。
【０１２１】
そして、更に、復号して得られたＭＡＣ−ｈｓ  ＰＤＵに含まれるＴＳＮに基づいて並
び替え処理（リオーダリング）を行い、並び替え後のトランスポートブロックに含まれる
ＭＡＣ−ｄ  ＰＤＵ（ＲＬＣ  ＰＤＵ）を上位レイヤ処理機能部３８に引き渡す。
【０１２２】
上位レイヤ処理機能部３８は、ＲＬＣ  ＰＤＵに含まれるシーケンスナンバを用いた並
び替え（リオーダリング）を行い、順番抜けの検出及び、ポーリングビットのチェックを
行なう。
【０１２３】
ここで、順番抜けを検出した場合、移動局１７のＲＬＣ処理機能部は、別途確立してい
る個別物理チャネル（ＤＰＣＨ）を介して、ＲＬＣレイヤにおける再送制御のための正し
く受信できなかったＰＤＵのシーケンスナンバを無線基地局制御装置２（３）に向けて送
信する。
【０１２４】
移動局７の上位レイヤ処理機能部３８により送信制御されたＡＣＫ信号、正しく受信で
きなかったＰＤＵのシーケンスナンバは、無線基地局６、多重分離装置４（５）を介して
無線基地局制御装置２（３）に送信される。
【０１２５】
無線基地局制御装置２（３）の制御部１１は、移動局７の上位レイヤ処理部３８から正
しく受信できなかったシーケンスナンバの受信をすると、再送制御処理により、再送すべ
きデータ（ＨＳ−ＰＤＳＣＨフレーム）を不図示の記憶部から読み出して、再送信を行な
う。
【０１２６】
以上が各装置の構成、動作の説明であるが、以下ハンドオーバの際の動作について詳細
に説明する。
・「ハンドオーバの際の動作」
（Ａ）「ＣＱＩ情報の送信先の切り替えタイミング」
図８は、ハンドオーバの際のチャネルの切り替え手順について説明するための上り、下
り双方のフレームフォーマットを示している。
【０１２７】
まず、移動局７は、図３の無線基地局６のいずれかの無線ゾーン内（セル内）に在圏し
、かつＨＳＤＰＡのサービスを受けている状態であるとする。尚、ここでは、移動局７は
無線基地局６１の無線ゾーン内に在圏するとする。
【０１２８】
この場合、移動局７は、無線基地局６１から送信される第１のデータ（例えば、ＣＰＩ
ＣＨの３スロット分）をＣＰＩＣＨ処理部３４で受信（図８のＣＰＩＣＨの黒塗り部分を
参照）し、その受信品質（例えば、受信ＳＩＲ）に基づいて生成した第２のデータ（例え
ば、ＣＱＩ情報）をＨＳ−ＤＰＣＣＨ処理部３７により、無線基地局６１に対して送信す
る（黒塗り部分の受信完了から１スロット送れて送信されるＣＱＩ情報参照）。
【０１２９】
無線基地局６１は、この第２のデータに応じて第３のデータ（例えば、第５サブフレー
ムのＨＳ−ＳＣＣＨ参照）、及び、対応するＨＳ−ＰＤＳＣＨのサブフレームを送信し、
移動局７は、第９サブフレームに含まれるタイミングで、ＡＣＫ信号（受信エラー無しと
する）を送信することでデータの伝送の１サイクルが完結することとなるが、図２で説明
したように、途中でハンドオーバが発生すると、このサイクルに含まれるデータを含めて
支障を来たすデータ部分が発生する（図２の点線枠で囲んでデータ参照）。
【０１３０】
しかし、この図８においては、移動局７の制御部３３（ハンドオーバ処理機能部３９）
は、図中タイミングＣ１（第６サブフレームと第７サブフレームとの間）でＨＳ−ＳＣＣ
Ｈを受信するチャネルの切り替え（無線基地局６１から６２への切り替え）を行うが、少
なくともそれより前（タイミングＡ１、Ａ２又はこれらの間のいずれかのスロットの先頭
）で、ＣＰＩＣＨの受信チャネルの切り替え（無線基地局６１から６２への切り替え）を
行うように、ＣＰＩＣＨ処理部３４を制御する。
【０１３１】
例えば、タイミングＡ１（第３サブフレームの約０．５スロット目）においてＣＰＩＣ
Ｈのチャネル切り替えを行うこととすると、第３サブフレームの０．５スロット目から３
スロットの期間にわたって、ハンドオーバ先の無線基地局６２の形成する無線ゾーン（セ
ル２）で受信することとなる。
【０１３２】
従って、ＣＰＩＣＨの受信完了から１スロット遅れで送信を開始（タイミングＢ１参照
）するＣＱＩ情報は、ハンドオーバ先の無線基地局６２から受信したＣＰＩＣＨの受信品
質に対応したものとなる。
【０１３３】
従って、このＣＱＩ情報が送信され、結果的に無線基地局６２（適応変調管理部２２）
に到達することで、このＣＱＩ情報の送信から約５．５スロット遅れのタイミングＣ１で
無線基地局６２が送信するＨＳ−ＳＣＣＨ（第７サブフレーム参照）で送信予告する際の
送信形式情報が、このＣＱＩ情報を反映させたものとすることができる。もちろん、２ス
ロット遅れで送信するＨＳ−ＰＤＳＣＨを送信する際も同様にこの送信形式で送信するこ
とができることとなる。
【０１３４】
尚、第８〜第１０サブフレームも同様に、ハンドオーバ先の無線基地局６２の適応変調
管理部２２は、自局が送信したＣＰＩＣＨに基づいて移動局７が選択したＣＱＩ情報を取
得することができることとなる。
【０１３５】
従って、移動局７のハンドオーバ処理機機能部３９がタイミングＣ１（Ｃ２）よりも先
のタイミングＡ１で、受信品質測定用のチャネル（ＣＰＩＣＨ）のハンドオーバ先への切
り替えを行うことで、ＨＳ−ＳＣＣＨ（ＨＳ−ＰＤＳＣＨ）の受信チャネルのハンドオー
バ先への切り替え後において支障のある（例えば、適応変調制御が適性に働いていない）
データが減少することとなる。
【０１３６】
また、これにより、図８において改善として矢印で指し示したデータ部分（ＣＱＩ、Ａ
ＣＫ信号）も結果的に支障のないものとなり、１つ以上のデータ伝送サイクルが改善され
ることとなる。
【０１３７】
尚、ハンドオーバ処理機能部３９が、ＣＰＩＣＨの受信用の送信元の切り替えをタイミ
ングＡ２で行った場合であっても、図中タイミングＢ２で送信するＣＱＩ情報及び第１０
サブフレームで送信される対応するＨＳ−ＳＣＣＨ、２スロット遅れのＨＳ−ＰＤＳＣＨ
、第１４サブフレーム内のタイミングで送信されるＡＣＫ信号について、同様に支障がな
いものとなるため、少なくとも１つのデータ伝送サイクルが改善されることとなる。
【０１３８】
尚、移動局７のハンドオーバ処理機能部３９は、タイミングＣ１より早いタイミングで
あるタイミングＡ１、Ａ２等を検出する必要があるが、タイミングＣ１は、無線基地局制
御装置２のハンドオーバ処理機能部１３から通知されることで、容易に認識できるため、
このＣ１を基準として、１１．５スロット前（Ａ１）、２．５スロット前（Ａ２）等をＣ
ＰＩＣＨを受信するための送信元無線基地局の切り替えタイミングとして利用することが
できる。他のタイミングもＣ１を基準とすればよい。
【０１３９】
また、ハンドオーバ元、先の無線基地局についても、無線基地局制御装置２等からタイ
ミングＣ１を通知されることで、移動局と同様にこれを基準としていずれの無線基地局で
あっても、移動局からタイミングＣ１より前に送信が開始されるＣＱＩ情報の受信タイミ
ングを特定して、ＣＱＩ情報を的確に取得することができることとなる。
【０１４０】
尚、この実施形態では、異なる無線基地局間のハンドオーバについて説明したが複数の
セクタを有する１つの無線基地局内におけるハンドオーバにも適用することができ、この
場合は、異なる無線基地局間ではなく、異なる制御部（１８１、１８２、１８３）におけ
る処理に置き換えればよい。
【０１４１】
以上が、第１データとしてのＣＰＩＣＨ（受信品質測定用のチャネル）の受信チャネル
の切り替えタイミングについての工夫の説明であるが、第２データとしてのＣＱＩ情報（
適応変調制御に用いられるパラメータ）の送信先の切り替えタイミングについて同じく図
８を用いて説明する。
（Ｂ）「ＣＱＩ情報の送信先の切り替えタイミング」
タイミングＡ１でＣＰＩＣＨの受信チャネルの（ハンドオーバ先への）切り替えをした
移動局７のハンドオーバ処理機能部３９は、切り替えた先の無線基地局６２から受信した
ＣＰＩＣＨの受信品質（受信ＳＩＲ）に応じて選択したＣＱＩ情報を送信するが、その送
信先として、好ましくは、タイミングＡ１から開始される測定期間で測定した受信品質の
送信タイミングであるタイミングＢ１（タイミングＡ１の後で、タイミングＣ１、Ｃ２よ
り前のタイミング）で切り替えることが好ましい。
【０１４２】
これは、移動局７がＨＳ−ＳＣＣＨの受信チャネルをハンドオーバ先（無線基地局６２
）に切り替えて最初に受信することとなるＨＳ−ＳＣＣＨの生成に必要なＣＱＩ情報を直
接無線基地局６２に対して送信することができるからである。
【０１４３】
もちろん、タイミングＢ２（タイミングＡ１、Ａ２、Ｃ１の後）でＣＱＩ情報の送信先
を切り替えることもできる。
【０１４４】
しかしこの場合は、タイミングＢ１からタイミングＢ２までの期間において無線基地局
６１に対して送信したＣＱＩ情報（但し、このＣＱＩ情報は、無線基地局６２から受信し
たＣＰＩＣＨの受信品質に基づくものである。）については、無線基地局６１から無線基
地局６２に対して転送することが望ましい。
【０１４５】
即ち、無線基地局６１は、ハンドオーバ元の無線基地局であることを認識（例えば、無
線基地局制御装置２から、移動局７をサブフレーム７から無線基地局６２に引き渡すよう
に指示される）することができ、図５に示したように、転送処理部２４を有しているため
、移動局７から受信したＣＱＩ情報を転送処理部２４により、無線基地局６２に転送する
のである。
【０１４６】
従って、無線基地局６２は、ＣＱＩ情報が移動局７から送信される前においては、無線
基地局６１から無線基地局制御装置２を介して受信したＣＱＩ情報を取得部２３で取得し
て適応変調管理部２２に与えることができる。
【０１４７】
尚、タイミングＢ１でＣＱＩ情報の送信先を切り替える場合は、無線基地局６２の上り
信号処理部２０は、移動局７から直接ＣＱＩ情報を受信するが、この場合は、上り信号処
理部２０が取得部として機能することとなる。
【０１４８】
最後にＡＣＫ（ＮＡＣＫ）信号の送信タイミングについてであるが、Ｃ１の後に最初に
送信するＡＣＫの送信タイミングであるＤで送信先を切り替えればよい。
【０１４９】
以上のように、この実施形態では、例えば、ＣＰＩＣＨの受信チャネルの（ハンドオー
バ先への）切り替えタイミング、ＣＱＩ情報の送信先の（ハンドオーバ先への）切り替え
タイミング、ＨＳ−ＳＣＣＨの受信チャネルの（ハンドオーバ先への）切り替えタイミン
グ、ＨＳ−ＤＰＣＣＨの送信先の切り替えタイミングの順に切り替えを行っており、好ま
しい１形態として説明している。
【０１５０】
尚、好ましくは、ハンドオーバにより切り替えが必要となるチャネルの内（明示したチ
ャネル内）で、ＣＰＩＣＨの受信用の送信元の切り替えタイミングを最先とする。
【０１５１】
これは、ハンドオーバ先の無線基地局が最も早く取得を希望するデータを生成するため
に受信が必要なチャネルであると考えられるからである。
【０１５２】
従って、無線方式により、ハンドオーバ先の無線基地局が最も早く取得を希望するデー
タを生成するために受信が必要なチャネルであると考えられる場合は、そのチャネルにつ
いての切り替えを最先とすることもできる。
【０１５３】
尚、上記実施形態では、ＨＳ−ＳＣＣＨ、ＨＳ−ＰＤＳＣＨが１つの移動局７に継続的
に割当てられている例を示したが、共通チャネルであるため、他の移動局に割当てる場合
もあり得るが、この実施形態により改善されることとなるデータの宛先となる移動局にと
っては、この改善の恩恵を受けることができる。
【０１５４】
また、ハンドオーバが異なるＲＮＣ間にまたがって行われる場合は、先に説明したよう
に、サービングＲＮＣが主導的に処理することとなるが、ハンドオーバ先の無線基地局の
転送処理部２４からのＣＱＩ情報と受信したサービングＲＮＣ等（ドリフトＲＮＣという
こともありうる）は、ドリフトＲＮＣにそのＣＱＩ情報を送信し、ドリフトＲＮＣから配
下の無線基地局であってハンドオーバ先の無線基地局送信することでＣＱＩ情報の転送を
実行すればよい。
〔ｂ〕第２実施形態の説明
第１実施形態では、ハンドオーバ元とハンドオーバ先の無線ゾーン（セル）間のフレー
ムタイミングのずれがないか又は無視できる場合の動作として説明している。
【０１５５】
尚、１つの無線基地局では、セクタ間でフレームのタイミングをあわせることは容易で
あるから第１実施形態のような状況になりがちと考えられる。
【０１５６】
しかし、この実施形態では、ハンドオーバ元とハンドオーバ先の無線ゾーン（セル）間
でフレームタイミングのずれが存在する場合について説明する。
【０１５７】
例えば、異なる無線基地局間のハンド−バ（特に異周波へのハンドオーバ）や、異なる
ＲＮＣ配下の無線基地局へのハンドオーバ（特に異周波のハンドオーバ）はこの第２の実
施形態のような状況になりがちと考えられる。
【０１５８】
図９は、ハンドオーバ元とハンドオーバ先の無線ゾーン（セル）間でフレームタイミン
グのずれ（図中のＧ）が存在する場合のフレーム構成を示す図である。
【０１５９】
ハンドオーバの前後でフレームタイミングにずれＧがある場合は、このずれを補償（吸
収）する為の処理が必要となる。
【０１６０】
この実施形態では、移動局７がＨＳ−ＳＣＣＨの受信チャネル切り替え後、ハンドオー
バ先の無線基地局６から最初に受信することとなるＨＳ−ＳＣＣＨの送信開始タイミング
Ｃ１が、サブフレーム７の先頭からではなく、Ｇだけ遅延している点を考慮する。
【０１６１】
即ち、タイミングＣ１で送信されるＨＳ−ＳＣＣＨの生成に必要とされるＣＱＩ情報の
送信タイミングを、ハンドオーバ先の無線基地局６にあわせるとすると、図のようにタイ
ミングＢでＣＱＩ情報を送信すればよいこととなる。
【０１６２】
ＣＱＩ情報を生成するための受信品質測定期間がＣＱＩ情報の送信開始タイミングを基
準に定められる期間（例えば、３スロット前から１スロット前まで）である場合は、ＣＰ
ＩＣＨのフレームずれＧの補償は、図のようにタイミングＡ１に対して、Ｇだけ遅延した
タイミングＡ２で測定を開始することで行うことが望ましい。
【０１６３】
ＨＳ−ＳＣＣＨの受信用の送信元の切り替え後最初に受信するサブフレームについて、
ハンドオーバ先の無線基地局６にあわせたタイミングで測定（ハンドオーバ先の無線基地
局６内の他の移動局と同様のタイミングで測定）した結果が反映されるから、公平性が保
てるからである。
【０１６４】
また、Ｇの期間については、切り替え時間にあてることが好ましいが、タイミングＡ１
で即切り替え行ったり、タイミングＡ２で即切り替えを行ったりすることもできる。
【０１６５】
尚、ＡＣＫ信号の送信先についても同様にタイミングＢ（もしくはタイミングＢ後最初
に送信するＡＣＫ信号の送信時までのタイミング）で切り替えることで、ＨＳ−ＰＤＳＣ
ＣＨ全体を一括して切り替えることがチャネル切り替え制御を容易にする面から望ましい
。
【０１６６】
但し、図のように、ＡＣＫ信号（問題として矢印で示したＡＣＫ信号）がハンドオーバ
元に無線基地局６に到達しなくなるといった問題を許容することとなる。
【符号の説明】
【０１６７】
１      コアネットワーク
２、３  ＲＮＣ
４、５  多重分離装置
６      無線基地局
７      移動局
１０    第１インタフェース部
１１    制御部
１２    第２インタフェース部
１３    ハンドオーバ処理機能部
１４    上位レイヤ処理機能部
１５    第１インタフェース部
１６    無線送受信部
１７    記憶部
１８    制御部
１９    下り信号生成部
２０    上り信号処理部
２１    再送管理部
２２    適応変調管理部
２３    取得部
２４    転送処理部
３０    無線送受信部
３１    入出力部
３２    記憶部
３３    制御部
３４    ＣＰＩＣＨ処理部
３５    ＨＳ−ＳＣＣＨ処理部
３６    ＨＳ−ＰＤＳＣＨ処理部
３７    ＨＳ−ＤＰＣＣＨ処理部
３８    上位レイヤ処理機能部
３９    ハンドオーバ処理機能部
【図１】
0005348254.tif 000002
【図２】
0005348254.tif 000003
【図３】
0005348254.tif 000004
【図４】
0005348254.tif 000005
【図５】
0005348254.tif 000006
【図６】
0005348254.tif 000007
【図７】
0005348254.tif 000008
【図８】
0005348254.tif 000009
【図９】
0005348254.tif 000010